(57)【要約】【課題】フィルタの巻取りを電動で簡単に行うことが可能であり、しかも、取付場所の自由度が高い巻取り式フィルタ装置を提供する。【解決手段】フィルタ本体２が巻かれて形成されたロールフィルタ５を備える。ロールフィルタ５を回転自在に収容するフィルタケース３と、フィルタケース３とは別体に形成され、ロールフィルタ５から出たフィルタ本体２の一端部が巻付けられるフィルタ巻取り軸を有する巻取りケース４とを備える。フィルタ巻取り軸を回転させてフィルタ本体２を巻取る駆動装置１３を備える。フィルタケース３と巻取りケース４は、被取付部材に取付けられる取付座をそれぞれ有している。駆動装置１３は、フィルタ巻取り軸に接続されたモータと、モータの動作を制御する制御部と、モータおよび制御部に給電する電源部とを備える。制御部は、巻取り軸が間欠的に回転する第１の巻取形態と、巻取り軸が回転し続ける第２の巻取形態とのうちいずれか一方の形態でモータを回転させるモータ駆動部を備えている。【選択図】  図１
2015213898.tif 000002
【特許請求の範囲】
【請求項１】
不織布からなるフィルタ本体が巻かれて形成されたロールフィルタと、
前記ロールフィルタの筒状部分を回転自在に収容するフィルタケースと、
前記フィルタケースとは別体に形成され、前記ロールフィルタから出た前記フィルタ本体の一端部が巻付けられる巻取り軸を有する巻取りケースと、
前記巻取り軸を回転させて前記フィルタ本体を巻取る駆動装置とを備え、
前記フィルタケースと巻取りケースは、被取付部材に取付けられる取付座をそれぞれ有し、
前記駆動装置は、
前記巻取り軸に接続されたモータと、
前記モータの動作を制御する制御部と、
前記モータおよび前記制御部に給電する電源部とを備え、
前記制御部は、
前記巻取り軸が間欠的に回転する第１の巻取形態と、
前記巻取り軸が回転し続ける第２の巻取形態とのうちいずれか一方の形態で前記モータを回転させるモータ駆動部を備えていることを特徴とする巻取り式フィルタ装置。
【請求項２】
請求項１記載の巻取り式フィルタ装置において、
前記フィルタ本体を巻取る長さが入力される設定部と、
前記設定部に入力された前記フィルタ本体の巻取り長さを記憶する記憶部とをさらに備え、
前記モータ駆動部は、前記第１の巻取り形態が採られ、前記フィルタ本体が前記巻取り長さだけ前記巻取り軸に巻取られるように前記モータを回転させるものであることを特徴とする巻取り式フィルタ装置。
【請求項３】
請求項２記載の巻取り式フィルタ装置において、
前記設定部は、前記フィルタ本体を巻取る巻取時期がさらに入力されるものであり、
前記記憶部は、前記設定部によって入力された巻取時期をさらに記憶するものであり、
前記モータ駆動部は、前記巻取時期に、前記フィルタ本体が前記巻取り長さだけ前記巻取り軸に巻取られるように前記モータを回転させるものであることを特徴とする巻取り式フィルタ装置。
【請求項４】
請求項２または請求項３記載の巻取り式フィルタ装置において、
前記モータの回転数を検出するセンサをさらに備え、
前記制御部は、
前記巻取り軸に巻取られる前記フィルタ本体の長さに相当するモータの目標回転数を演算によって求める演算部をさらに備え、
前記モータ駆動部は、前記センサによって検出されたモータの回転数が前記目標回転数と一致するようにモータを回転させるものであることを特徴とする巻取り式フィルタ装置。
【請求項５】
請求項１記載の巻取り式フィルタ装置において、
前記フィルタ本体を巻取るときのフィルタ本体の移動速度である巻取速度が入力される設定部と、
前記設定部に入力された前記巻取速度を記憶する記憶部とをさらに備え、
前記モータ駆動部は、前記第２の巻取り形態が採られ、前記フィルタ本体が前記巻取速度で移動して前記巻取り軸に巻取られるように前記モータを回転させるものであることを特徴とする巻取り式フィルタ装置。
【請求項６】
請求項１ないし請求項５のうちいずれか一つに記載の巻取り式フィルタ装置において、
前記電源部は、前記巻取りケースに装備された一次電池を電源とするものであることを特徴とする巻取り式フィルタ装置。
【請求項７】
請求項１ないし請求項５のうちいずれか一つに記載の巻取り式フィルタ装置において、
前記電源部は、
電源としての発電機と、
前記発電機の余剰電力を蓄える二次電池とを備えていることを特徴とする巻取り式フィルタ装置。
【発明の詳細な説明】
【技術分野】
【０００１】
本発明は、ロールフィルタを巻取る駆動装置を備えたフィルタ巻取り式フィルタ装置に関するものである。
【背景技術】
【０００２】
従来のこの種の巻取り式フィルタ装置としては、例えば特許文献１に記載されているものがある。特許文献１に開示された巻取り式フィルタ装置は、換気扇やレンジフードに取付けられる板状のフレームと、このフレームに取付けられたフィルタとを備えている。このフレームの中央部には、通風用の穴が形成されている。フィルタは、ロール状に巻かれており、フレームの一端部に回転可能に支持されている。
【０００３】
フレームの他端部には、フィルタの先端部を巻取るための巻取り部が設けられている。フィルタは、通風用の穴を覆う状態でフレームの一端部から他端部の巻取り部に導かれている。
巻取り部は、巻取用のモータと、フィルタを手動で巻取るためのハンドルとを備えており、フィルタを電動あるいは手動で巻取ることが可能なものである。
【先行技術文献】
【特許文献】
【０００４】
【特許文献１】実用新案登録第３１４６３４３号公報
【発明の概要】
【発明が解決しようとする課題】
【０００５】
特許文献１に示す従来の巻取り式フィルタ装置は、通風用の穴を通る空気中の塵埃をフィルタによって捕捉するものであるから、フレームより大きい通風装置などには取付けることができない。すなわち、この巻取り式フィルタ装置は、取付場所の自由度が低いという問題があった。なお、この課題を解消するにあたっては、フィルタの巻取りを電動で行うことが不可能になるようなことは避けなければならない。
【０００６】
本発明はこのような問題を解消するためになされたもので、フィルタの巻取りを電動で簡単に行うことが可能であり、しかも、取付場所の自由度が高い巻取り式フィルタ装置を提供することを目的とする。
【課題を解決するための手段】
【０００７】
この目的を達成するために、本発明に係る巻取り式フィルタ装置は、不織布からなるフィルタ本体が巻かれて形成されたロールフィルタと、前記ロールフィルタの筒状部分を回転自在に収容するフィルタケースと、前記フィルタケースとは別体に形成され、前記ロールフィルタから出た前記フィルタ本体の一端部が巻付けられる巻取り軸を有する巻取りケースと、前記巻取り軸を回転させて前記フィルタ本体を巻取る駆動装置とを備え、前記フィルタケースと巻取りケースは、被取付部材に取付けられる取付座をそれぞれ有し、前記駆動装置は、前記巻取り軸に接続されたモータと、前記モータの動作を制御する制御部と、前記モータおよび前記制御部に給電する電源部とを備え、前記制御部は、前記巻取り軸が間欠的に回転する第１の巻取形態と、前記巻取り軸が回転し続ける第２の巻取形態とのうちいずれか一方の形態で前記モータを回転させるモータ駆動部を備えていることを特徴とするものである。
【０００８】
本発明は、前記発明において、前記フィルタ本体を巻取る長さが入力される設定部と、前記設定部に入力された前記フィルタ本体の巻取り長さを記憶する記憶部とをさらに備え、前記モータ駆動部は、前記第１の巻取り形態が採られ、前記フィルタ本体が前記巻取り長さだけ前記巻取り軸に巻取られるように前記モータを回転させるものであることを特徴とする。
【０００９】
本発明は、前記発明において、前記設定部は、前記フィルタ本体を巻取る巻取時期がさらに入力されるものであり、前記記憶部は、前記設定部によって入力された巻取時期をさらに記憶するものであり、前記モータ駆動部は、前記巻取時期に、前記フィルタ本体が前記巻取り長さだけ前記巻取り軸に巻取られるように前記モータを回転させるものであることを特徴とする。
【００１０】
本発明は、前記発明において、前記モータの回転数を検出するセンサをさらに備え、前記制御部は、前記巻取り軸に巻取られる前記フィルタ本体の長さに相当するモータの目標回転数を演算によって求める演算部をさらに備え、前記モータ駆動部は、前記センサによって検出されたモータの回転数が前記目標回転数と一致するようにモータを回転させるものであることを特徴とする。
【００１１】
本発明は、前記発明において、前記フィルタ本体を巻取るときのフィルタ本体の移動速度である巻取速度が入力される設定部と、前記設定部に入力された前記巻取速度を記憶する記憶部とをさらに備え、前記モータ駆動部は、前記第２の巻取り形態が採られ、前記フィルタ本体が前記巻取速度で移動して前記巻取り軸に巻取られるように前記モータを回転させるものであることを特徴とする。
【００１２】
本発明は、前記発明において、前記電源部は、前記巻取りケースに装備された一次電池を電源とするものであることを特徴とする。
【００１３】
本発明は、前記発明において、前記電源部は、電源としての発電機と、前記発電機の余剰電力を蓄える二次電池とを備えていることを特徴とする。
【発明の効果】
【００１４】
本発明に係る巻取り式フィルタ装置のフィルタケースと巻取りケースは、互いに分離されている。このため、フィルタ本体を設ける空気吸込口の大きさに合わせてフィルタケースと巻取りケースの間隔を変えることができる。この巻取り式フィルタ装置においては、フィルタ本体が間欠的にまたは連続的に巻取られるようにモータ駆動部がモータを回転させる。
したがって、本発明によれば、フィルタ本体の巻取りを電動で簡単に行うことが可能であり、しかも、取付場所の自由度が高い巻取り式フィルタ装置を提供することができる。
【図面の簡単な説明】
【００１５】
【図１】本発明に係る巻取り式フィルタ装置の斜視図である。
【図２】本発明に係る巻取り式フィルタ装置の断面図である。
【図３】フィルタ巻取り軸と駆動装置の一部を示す分解斜視図である。
【図４】円柱ブロックとフォトインタラプタとを拡大して示す斜視図である。
【図５】駆動装置の制御系の構成を示すブロック図である。
【図６】本発明に係る巻取り式フィルタ装置を被取付部材に取付ける形態を示す斜視図である。
【図７】本発明に係る巻取り式フィルタ装置を被取付部材に取付ける形態を示す斜視図である。
【図８】本発明に係る巻取り式フィルタ装置を被取付部材に取付ける形態を示す斜視図である。
【図９】フィルタ本体が間欠的に移動する場合のモータ駆動部の動作を説明するための巻取り式フィルタ装置の正面図である。図９（Ａ）は、使用開始前の状態を示し、図９（Ｂ）はフィルタ本体が巻取られた後の状態を示す。
【図１０】フィルタ本体が間欠的に移動する場合のモータ駆動部の動作を説明するための巻取り式フィルタ装置の正面図である。図１０（Ａ）は、使用開始前の状態を示し、図１０（Ｂ）はフィルタ本体が巻取られた後の状態を示す。
【図１１】フィルタ本体が連続的に移動する場合のモータ駆動部の動作を説明するための巻取り式フィルタ装置の正面図である。図１１（Ａ）は使用開始前の状態を示し、図１１（Ｂ）は所定の時間が経過した後の状態を示す。
【発明を実施するための形態】
【００１６】
以下、本発明に係る巻取り式フィルタ装置の一実施の形態を図１〜図１１によって詳細に説明する。
図１に示す巻取り式フィルタ装置１は、フィルタ本体２の一端側に位置するフィルタケース３と、フィルタ本体２の他端側に位置する巻取りケース４とを備えている。フィルタ本体２は、不織布によって形成されており、ロール状に巻かれてロールフィルタ５を形成している。
【００１７】
このロールフィルタ５の筒状部分５ａは、図２に示すように、フィルタケース３の中に収容されている。ロールフィルタ５から引き出されたフィルタ本体２の先端部には、フィルタ巻取り軸６が接着されている。このフィルタ巻取り軸６は、後述する巻取りケース４の中に収容されている。ロールフィルタ５は、交換式で、使い捨てされるものである。フィルタ本体２の目の粗さは、吸い込み風量が低下することがない程度の粗さである。このロールフィルタ５は、フィルタ本体２の目の粗さが異なるものが使用環境に応じて選択される。
【００１８】
フィルタケース３と巻取りケース４は、図１に示すように、それぞれ細長い箱状に形成されている。これらのフィルタケース３と巻取りケース４は、図２に示すように、被取付部材７に取付けられる取付座８をそれぞれ有している。この取付座８は、図示していない磁石や取付用ねじなどによって被取付部材７に取付けられる。被取付部材７としては、例えば、換気扇や制御盤用通風装置、制御盤用クーラ、外扇型モータ、油・水冷却装置、スポットクーラ、エアコン室内機などが挙げられる。
【００１９】
これらのフィルタケース３と巻取りケース４には、フィルタ本体２を視認できるように窓９が形成されている。巻取りケース４の窓９からフィルタ本体２を見ることによって、フィルタ巻取り軸６に巻取られたフィルタ本体２の巻取り量が判る。
フィルタケース３は、ロールフィルタ５の筒状部分５ａを回転自在に支持している。フィルタケース３の一端部には、ロールフィルタ５を手動で回転させるための調整ビス１０が設けられている。
【００２０】
巻取りケース４は、フィルタ巻取り軸６を回転自在に支持している。この巻取りケース４の一端部には、フィルタ巻取り軸６を手動で回転させるための調整ビス１１が設けられている。巻取りケース４の他端部には、後述する駆動装置用ケース１２が着脱可能に取付けられている。この駆動装置用ケース１２は、ミスト等の浮遊物が内部に浸入することを防ぐ機能を有している。
【００２１】
駆動装置用ケース１２の中には、図３に示すように、後述する駆動装置１３のモータ１４と、フォトインタラプタ１５と、一次電池１６（図５参照）および基板１７などが収容されている。
モータ１４は、いわゆる小型モータによって構成されている。このモータ１４は、フィルタ巻取り軸６の回転トルクを高くするために、減速機１８（図３参照）を介して後述する円柱ブロック１９に接続されている。円柱ブロック１９は、モータ１４の回転トルクをフィルタ巻取り軸６に伝達するためのもので、減速機１８の出力軸１８ａに一体に回転するように接続されている。すなわち、この実施の形態によるモータ１４は、減速機１８と円柱ブロック１９とを介してフィルタ巻取り軸６に接続されている。
【００２２】
円柱ブロック１９とフィルタ巻取り軸６は、着脱自在な係合構造２１によって一体に回転するように連結されている。係合構造２１は、円柱ブロック１９に設けられたピン２２と、このピン２２に係合可能な形状にフィルタ巻取り軸６に形成された切り欠き２３とによって構成されている。なお、フィルタ巻取り軸６は、円柱ブロック１９と一体に形成してもよい。この場合は、フィルタ巻取り軸６にフィルタ本体２は接着されず、設置時にフィルタ本体２をフィルタ巻取り軸６に巻き付けたり、引っかけたりすることで取付ける。
【００２３】
円柱ブロック１９には、図４に示すように、円盤カム２４が設けられている。この円盤カム２４は、円柱ブロック１９の回転方向に並ぶ多数のスリット２５を形成するためのものである。円柱ブロック１９の近傍には、モータ１４の回転数（フィルタ巻取り軸６の回転数）を検出するためのフォトインタラプタ１５が設けられている。円盤カム２４は、フォトインタラプタ１５の光路を遮る位置に設けられている。このため、円柱ブロック１９が回転することにより、フォトインタラプタ１５がＯＮ、ＯＦＦを繰り返すようになる。このフォトインタラプタ１５は、基板１７に実装されて支持されている。この実施の形態においては、このフォトインタラプタ１５が請求項３記載の発明でいう「センサ」に相当する。
【００２４】
駆動装置１３は、図５に示すように、電源部２６と、モータ１４と、基板１７とによって構成されている。
電源部２６は、モータ１４と基板１７とに給電するためのものである。電源部２６は、発電機２７と、二次電池２８と、一次電池１６と、外部電源２９とのうち少なくともいずれか一つを用いて構成することができる。この実施の形態による巻取り式フィルタ装置１は、一次電池１６のみを電源として構成されている。
【００２５】
本発明に係る巻取り式フィルタ装置１の電源は、主に一次電池１６（乾電池）や発電機２７が発電した発電電力を使用する。発電電力とは、太陽光パネル（図示せず）を用いた太陽光発電と、ゼーベック・スターリングを利用した温度差発電と、風力を利用した風力発電とのいずれか、もしくは組み合わせたものによって得られた電力である。発電機２７は、巻取りケース４とは別の場所に設置され、ケーブル（図示せず）によって後述する基板１７に接続される。
【００２６】
基板１７は、複数の機能部を有している。この機能部とは、電力変換回路３１と、充電回路３２と、制御回路３３と、設定部３４と、表示部３５と、フォトインタラプタ１５を有する回転検出部３６と、ワイヤレス通信部３７などである。この実施の形態による駆動装置１３は、基板１７に実装される電子部品として省電力の部品が用いられており、待機時の消費電力を少なく抑えることが可能なものである。
【００２７】
電力変換回路３１は、発電機２７から制御回路３３に給電される電力の電圧・電流を制御する。充電回路３２は、発電機２７が発電した電力のうち、余剰の電力で二次電池２８を充電する。また、充電回路３２は、発電電力が不足したときに二次電池２８から制御回路３３に電力を供給する。
【００２８】
制御回路３３は、モータ１４の動作を制御するためのものである。この実施の形態による制御回路３３は、マイコンによって構成されている。この実施の形態においては、この制御回路３３が本発明でいう「制御部」に相当する。なお、この制御部を構成するものは、マイコンに限定されることはなく、タイマーＩＣやカウンタＩＣを利用したアナログ回路でもよい。
【００２９】
この実施の形態による制御回路３３は、記憶部４１と、演算部４２と、２種類の駆動形態のうちいずれか一方の形態でモータ１４を回転させるモータ駆動部４３とを有している。２種類の駆動形態とは、フィルタ巻取り軸６が間欠的に回転する第１の巻取形態と、フィルタ巻取り軸６が回転し続ける第２の巻取形態である。
記憶部４１は、後述する設定部３４に入力されたデータを記憶する。設定部３４は、詳細には図示してはいないが、ロータリスイッチや、液晶パネルを利用したタッチパネルなどを備えており、制御回路３３に接続されている。
【００３０】
モータ駆動部４３が第１の駆動形態でモータ１４を回転させる場合、設定部３４には、フィルタ本体２を巻取るときの巻取り長さや、巻取り動作を行う巻取時期（巻取り間隔）などが操作者によって入力される。巻取り長さは、フィルタケース３と巻取りケース４との間隔に対応した長さに設定される。巻取時期は、日付を指定して行うことも可能である。これらの巻取り長さや巻取時間は、記憶部４１に記憶される。
この場合、演算部４２は、設定部３４に入力された巻取り長さに相当するモータ１４の目標回転数を演算によって求める。
また、この場合、モータ駆動部４３は、フォトインタラプタ１５によって検出されたモータ１４の回転数が上述した目標回転数と一致するようにモータ１４を回転させる。このモータ駆動部４３がモータ１４を回転させる時期は、設定部３４に入力された巻取時期である。
【００３１】
モータ駆動部４３が第２の駆動形態でモータ１４を回転させる場合、設定部３４には、フィルタ本体２を巻取るときのフィルタ本体２の移動速度である巻取速度が操作者によって入力される。巻取速度は、例えば１ｍｍ／時間や、５ｍｍ／日などに設定することができる。この巻取速度は、記憶部４１に記憶される。
この場合、演算部４２は、設定部３４に入力された巻取速度に相当するモータ１４の目標回転速度を演算によって求める。
【００３２】
また、この場合、モータ駆動部４３は、フォトインタラプタ１５によって検出されたモータ１４の回転数を用いてモータ１４の実際の回転速度を求め、この実際の回転速度が上述した目標回転速度と一致するようにモータ１４を回転させる。すなわち、モータ駆動部４３は、第２の巻取り形態が採られる場合は、フィルタ本体２が巻取速度で移動してフィルタ巻取り軸６に巻取られるようにモータ１４を回転させる。このモータ駆動部４３は、電源部２６から給電された状態でスタートスイッチ（図示せず）がオン操作されることによって動作を開始し、スタートスイッチがオフ操作されることによって停止する構成を採ることができる。
【００３３】
すなわち、制御回路３３は、次の３つの機能を有している。
第１の機能は、設定部３４によって入力されたフィルタ本体２の巻取り長さや巻取速度を記憶する機能である。
第２の機能は、設定部３４によって入力された巻取時期を記憶する機能である。
第３の機能は、巻取時期に、フィルタ本体２が巻取り長さだけ間欠的にフィルタ巻取り軸６に巻取られたり、フィルタ本体２が連続的にフィルタ巻取り軸６に巻取られるようにモータ１４を回転させる機能である。
【００３４】
表示部３５は、詳細には図示してはいないが、ＬＥＤや液晶パネルを備えている。この表示部３５は、モータ１４の動作状態を表示する。
回転検出部３６は、フォトインタラプタ１５の信号を制御回路３３に送る機能を有している。
ワイヤレス通信部３７は、この巻取り式フィルタ装置１の情報をワイヤレス通信によって発信する機能と、設定信号を外部から受信する機能とを有している。
【００３５】
この実施の形態による巻取り式フィルタ装置１のフィルタケース３と巻取りケース４は、互いに分離されている。このため、被取付部材７の大きさに合わせてフィルタケース３と巻取りケース４の間隔を変えることができる。このフィルタ装置１は、例えば図６〜図８に示すように被取付部材７に取付けられる。
【００３６】
図６に示す被取付部材７は、通風装置の箱状の筐体４４によって構成されている。この筐体４４の一側面４４ａには、空気吸込口４５が開口している。フィルタケース３と巻取りケース４は、空気吸込口４５がフィルタ本体２によって覆われるように、筐体４４の一側面４４ａに取付けられる。
【００３７】
図７に示す通風装置の筐体４４は、角部４４ｂに空気吸込口４５を有している。この空気吸込口４５には、フィルタ本体２が吸い込まれることを防ぐためにガイド部材４６が設けられている。この場合、フィルタケース３は、筐体４４の角部４４ｂを形成する第１の側面４４ｃに取付けられる。巻取りケース４は、角部４４ｂを形成する第２の側面４４ｄに取付けられる。フィルタ本体２は、第１の側面４４ｃと第２の側面４４ｄとに沿うように屈曲させられ、折れ曲がりながら巻取られる。
【００３８】
図８に示す通風装置の筐体４４は、円柱状に形成されており、外周面４４ｅに空気吸込口４５を有している。この空気吸込口４５には、フィルタ本体２が吸い込まれることを防ぐためにガイド部材４６が設けられている。この場合、フィルタケース３と巻取りケース４は、外周面４４ｅに取付られる。フィルタ本体２は、外周面４４ｅに沿う形状に湾曲し、湾曲した状態で巻取られる。
【００３９】
このように構成された巻取り式フィルタ装置１においては、フィルタ本体２が間欠的にあるいは連続して巻取られるようにモータ駆動部４３がモータ１４を回転させる。
したがって、この実施の形態によれば、フィルタ本体２の巻取りを電動で簡単に行うことが可能であり、しかも、取付場所の自由度が高い巻取り式フィルタ装置を提供することができる。
【００４０】
この実施の形態による巻取り式フィルタ装置１は、フィルタ本体２を巻取る長さや巻取速度が入力される設定部３４と、この設定部３４に入力されたフィルタ本体２の巻取り長さや巻取速度を記憶する記憶部４１とを備えている。モータ駆動部４３は、フィルタ本体２が巻取り長さだけフィルタ巻取り軸６に巻取られたり、フィルタ本体２がフィルタ巻取り軸６に連続して巻取られるようにモータ１４を回転させるものである。
この実施の形態においては、フィルタ本体２が自動で予め定めた長さあるいは連続して巻取られる。したがって、この実施の形態によれば、空気吸込口４５の大きさに対応した巻取り長さでフィルタ本体２を巻取ることが可能になるから、使い勝手がよい巻取り式フィルタ装置を提供することができる。
【００４１】
この実施の形態による設定部３４は、フィルタ本体２を巻取る巻取時期が入力されるものである。また記憶部４１は、設定部３４によって入力された巻取時期を記憶するものである。モータ駆動部４３は、巻取時期に、フィルタ本体２が巻取り長さだけフィルタ巻取り軸６に巻取られるようにモータ１４を回転させるものである。
このため、この実施の形態によれば、フィルタ本体２を巻取る動作の自動化が図られた巻取り式フィルタ装置を提供することができる。
【００４２】
モータ駆動部４３が上述した第１の駆動形態でモータ１４を回転させる場合は、フィルタ本体２が巻取時期に図９（Ａ），（Ｂ）または図１０（Ａ），（Ｂ）に示すように移動する。図９は、フィルタ本体２が巻取り長さＬ１ずつ間欠的に巻取られる場合を示し、図１０は、フィルタ本体が巻取り長さＬ２ずつ間欠的に巻取られる場合を示す。巻取り長さＬ１は、円形の空気吸込口４５の穴径と略等しい。フィルタ本体２が巻取り長さＬ１ずつ巻取られることにより、フィルタ本体２に捕捉された油や埃などからなる汚れ部分５１が一度に移動し、空気吸込口４５がフィルタ本体２の未使用部分によって覆われる。
【００４３】
図１０に示す巻取り長さＬ２は、空気吸込口４５の穴径より短く設定されている。図１０に示す場合は、フィルタ本体２が巻取り長さＬ２ずつ複数回にわたって巻取られることにより、フィルタ本体２における空気吸込口４５の一端と対向する部位が空気吸込口４５の他端と対向する位置に移動する。この場合、図１０（Ｂ）に示すように、フィルタ本体２は、少しずつ連続的に汚れるようになり、フィルタ本体２を無駄なく使用することが可能になる。
【００４４】
モータ駆動部４３が上述した第２の駆動形態でモータ１４を回転させる場合は、フィルタ本体２が図１１（Ａ），（Ｂ）に示すように連続して移動する。この場合、フィルタ本体２が少しずつ連続的に汚れ、汚れ部分５１がフィルタ本体２の移動方向の下流側に延びるようになる。このため、この形態を採ることにより、フィルタ本体２を無駄なく使用することが可能になるとともに、絶えず新品の状態が少しずつ現れるために、安定した通風が得られる。
また、この形態を採ることにより、フィルタ本体２が停止しないため、フィルタ本体２に捕捉された油や埃など粘着性を有する物質によってフィルタ本体２が空気吸込口４５の周辺に固着して貼り付いてしまうことがなくなる。
【００４５】
このようにフィルタ本体２を巻取る動作が自動化されることにより、フィルタ本体２が汚れた状態で長期間にわたって使用されるようなことを防ぐことができる。すなわち、このフィルタ装置１が取付けられた通風装置の吸込負荷が常に低く抑えられる。このフィルタ装置１が例えば制御盤用クーラや油・水冷却装置、スポットクーラやエアコンの空気吸込口４５に設けられる場合は、これらの装置の消費電力を低く抑えることが可能になるとともに、これらの装置が故障し難くなる。このフィルタ装置１が換気扇に設けられた場合は、換気扇が故障し難くなる。
【００４６】
この実施の形態による巻取り式フィルタ装置１は、モータ１４の回転数を検出するフォトインタラプタ１５（センサ）を備えている。制御回路３３は、フィルタ巻取り軸６に巻取られるフィルタ本体２の長さに相当するモータ１４の目標回転数やフィルタ本体２の巻取速度に相当するモータ１４の目標回転速度を演算によって求める演算部４２を備えている。モータ駆動部４３は、フォトインタラプタ１５によって検出されたモータ１４の回転数が目標回転数と一致するようにモータ１４を回転させたり、モータ１４の実際の回転速度が目標回転速度と一致するようにモータ１４を回転させるものである。
【００４７】
このため、この実施の形態によれば、巻取り長さや巻取速度の精度が高くなるから、フィルタ本体２を必要以上に巻取るような無駄を省くことができる。したがって、この実施の形態によれば、フィルタ本体２を無駄なく使用可能な巻取り式フィルタ装置を提供することができる。
【００４８】
この実施の形態による電源部２６は、巻取りケース４に装備された一次電池１６を電源とするものである。
このため、この巻取り式フィルタ装置１を例えば通風装置に取付けるにあたって、この巻取り式フィルタ装置１に外部から給電するための電源ケーブルを配線する必要はない。したがって、この実施の形態によれば、コンパクトな巻取り式フィルタ装置を提供することができる。
【００４９】
この実施の形態による電源部２６は、電源としての発電機２７と、発電機２７の余剰電力を蓄える二次電池２８とを備えることができるものである。電源が発電機２７であると、電源が一次電池１６である場合と較べて電池交換を行わなくてよい分、取り扱いが容易になる。したがって、このように電源として発電機２７を使用する構成を採ることにより、交換する部品がフィルタ本体２のみとなるから、メンテナンスが容易な巻取り式フィルタ装置を提供することができる。
【００５０】
駆動装置１３のモータ１４は、図示してはいないが、高精度の巻取り長さの算出が可能であるステッピングモータやサーボモータを使用することができる。また、フィルタ本体２を所定の長さだけ巻取るためには、等間隔にマーク（図示せず）が設けられたフィルタ本体を使用して行うことができる。この場合、マークが検出されたときにモータ１４を停止させることにより、所定の長さだけフィルタ本体２を巻取ることが可能になる。マークを検出するためには、フォトインタラプタや、レーザー光を用いるセンサを使用したり、マークを撮像して画像処理により検出する構成を採ることができる。
【００５１】
また、フィルタ本体２の巻取り動作を自動化するためには、フィルタ本体２の汚れによる変色を上記と同様の読み取り方法を用いて検出し、変色の度合いが閾値を越えたときに巻取り動作を行う構成を採ることができる。
【００５２】
この実施の形態によるフィルタケース３と巻取りケース４は、形状が変わることがない箱状に形成されている。しかし、本発明は、このような限定にとらわれることはない。すなわち、フィルタケース３と巻取りケース４は、伸縮可能に形成することができる。この構成を採ることにより、幅が異なるフィルタ本体２を使用することができるから、空気吸込口４５の縦と横の長さに制約を受け難い巻取り式フィルタ装置を提供することができる。
【符号の説明】
【００５３】
１…巻取り式フィルタ装置、２…フィルタ本体、３…フィルタケース、４…巻取りケース、５…ロールフィルタ、５ａ…筒状部分、６…フィルタ巻取り軸、７…被取付部材、８…取付座、１３…駆動装置、１４…モータ、１５…フォトインタラプタ（センサ）、１６…一次電池、２６…電源部、２７…発電機、２８…二次電池、３３…制御回路（制御部）、３４…設定部、４１…記憶部、４２…演算部、４３…モータ駆動部。
【図１】
2015213898.tif 000003
【図２】
2015213898.tif 000004
【図３】
2015213898.tif 000005
【図４】
2015213898.tif 000006
【図５】
2015213898.tif 000007
【図６】
2015213898.tif 000008
【図７】
2015213898.tif 000009
【図８】
2015213898.tif 000010
【図９】
2015213898.tif 000011
【図１０】
2015213898.tif 000012
【図１１】
2015213898.tif 000013